(57)【要約】      （修正有）【課題】板状体を簡単に梱包するとともに、輸送に際して縦置き状態に起こした場合においても大きな強度と安定性を確保する。【解決手段】方形状の底壁の各端縁に前壁１２、後壁１３および左右の側壁１４，１５がそれぞれ折り目を介して連設された第１部材１０と、方形状の頂壁２１の各端縁に前壁２２、後壁２３および左右の側壁２４，２５がそれぞれ折り目を介して連設された第２部材２０とから構成される。そして、第１部材の底壁に対して前壁、後壁および左右の側壁が折り目に沿って折り曲げられて上方を開口した箱状体に組み立てられる。また、第２部材の頂壁に対して前壁、後壁および左右の側壁が折り目に沿って折り曲げられて第１部材による箱状体に被せられ、第１部材の左右の側壁の各外面に第２部材の左右の側壁が重ねられる一方、第１部材の前壁および後壁の各上端縁に第２部材の前壁および後壁の各下端縁が突き合わされる。【選択図】図９
2012153413.tif 000002
【特許請求の範囲】
【請求項１】
方形状の底壁の各端縁に前壁、後壁および左右の側壁がそれぞれ折り目を介して連設された第１部材と、方形状の頂壁の各端縁に前壁、後壁および左右の側壁がそれぞれ折り目を介して連設された第２部材とから構成され、第１部材の底壁に対して前壁、後壁および左右の側壁がそれぞれ折り目に沿って折り曲げられて上方を開口した箱状体に組み立てられる一方、第２部材の頂壁に対して前壁、後壁および左右の側壁がそれぞれ折り目に沿って折り曲げられて第１部材によって組み立てられた箱状体に被せられ、第１部材の左右の側壁の各外面に第２部材の左右の側壁がそれぞれ重ねられる一方、第１部材の前壁および後壁の各上端縁に第２部材の前壁および後壁の各下端縁がそれぞれ突き合わされることを特徴とする梱包箱。
【請求項２】
請求項１に記載の梱包箱において、前記第１部材における左側壁の上下各端縁および右側壁の上下各端縁にそれぞれフラップが折り目を介して連設される一方、第１部材における前壁の左右各端縁および後壁の左右各端縁にそれぞれ係止片が折り目を介して連設され、また、前記各フラップに左側壁との折り目および右側壁との折り目に沿って係止片に対応して差込孔が形成されることを特徴とする梱包箱。
【請求項３】
請求項２に記載の梱包箱において、前記係止片はフラップの一部を利用して区画されることを特徴とする梱包箱。
【請求項４】
請求項２または３に記載の梱包箱において、前記各差込孔の左右一方端縁部または左右各端縁部に連続して左右方向に延びる設定長さの切れ目が形成される一方、前記各係止片の上下一端部または上下各端部に前壁との折り目および後壁との折り目に沿って係止溝が形成されることを特徴とする梱包箱。
【請求項５】
請求項１または２に記載の梱包箱において、前記第１部材の底壁と第２部材の頂壁が同一幅に形成され、第１部材における底壁と前壁との折り目および底壁と後壁との折り目が設定間隔をおいて間欠的に形成されるとともに、前壁および後壁に間欠的な折り目における対向する端縁を結んで亀甲括弧状の切れ目がそれぞれ形成され、また、前記第２部材における頂壁と前壁との折り目および頂壁と後壁との折り目が設定間隔をおいて間欠的に形成されるとともに、前壁および後壁に間欠的な折り目における対向する端縁を結んで亀甲括弧状の切れ目がそれぞれ形成されることを特徴とする梱包箱。
【請求項６】
請求項１乃至５のいずれか一つに記載の梱包箱において、前記第１部材によって組み立てられた箱状体の前壁および後壁の各上端縁が上方に凸状または下方に凹状の段差を有するとともに、第２部材の前壁および後壁の各下端縁が前記第１部材の前壁および後壁の各上端縁にそれぞれ互いに係合可能な上方に凹状または下方に凸状の段差を有することを特徴とする梱包箱。
【請求項７】
請求項３または４に記載の梱包箱において、前記第１部材によって組み立てられた箱状体の前壁および後壁の各上端縁が下方に凹状の段差を有するとともに、第２部材の前壁および後壁の各下端縁が前記第１部材の前壁および後壁の各上端縁にそれぞれ互いに係合可能な下方に凸状の段差を有し、前記係止片は第１部材における前壁の左右各端縁および後壁の左右各端縁にそれぞれ連設されることを特徴とする梱包箱。
【請求項８】
請求項１乃至７のいずれか一つに記載の第１部材の底壁に対して前壁、後壁および左右の側壁を順に折り目に沿って折り曲げて立ち上げ、上方を開口した箱状体に組み立てた後、複数個の緩衝材が嵌め込まれた横置き状態の薄型テレビを吊り上げて第１部材によって組み立てられた箱状体に上方開口部を通して収納し、次いで、第２部材の左側壁および右側壁を順に折り目に沿って折り込んで第１部材による箱状体に被せ、その左側壁および右側壁を第１部材における箱状体の左側壁および右側壁の各外面にそれぞれ重ねて一体に連結する一方、前壁および後壁の各下端縁を第１部材による箱状体の前壁および後壁の各上端縁にそれぞれ突き合わせた後、それらの突き合わせ部を粘着テープによって封緘することを特徴とする薄型テレビの梱包方法。
【請求項９】
請求項８に記載の薄型テレビの梱包方法において、重ねられた第１部材の左側壁および右側壁と第２部材の左側壁および右側壁はジョイント部材により一体に連結されることを特徴とする薄型テレビの梱包方法。
【請求項１０】
請求項９に記載の薄型テレビの梱包方法において、前記ジョイント部材による連結作業は、粘着テープによる突き合わせ部の封緘作業に先立って行われることを特徴とする薄型テレビの梱包方法。
【請求項１１】
請求項９に記載の薄型テレビの梱包方法において、前記ジョイント部材の係止孔は、第１部材の左側壁および右側壁と第２部材の左側壁および右側壁のそれぞれ幅方向の二等分線と高さ方向の二等分線との交点に形成されることを特徴とする薄型テレビの梱包方法。
【請求項１２】
請求項８または９に記載の薄型テレビの梱包方法において、吊り下げて収納する薄型テレビはテレビスタンドが取り外された薄型テレビ本体であることを特徴とする薄型テレビの梱包方法。
【発明の詳細な説明】
【技術分野】
【０００１】
この発明は、薄型テレビなどの板状体を梱包する梱包箱および梱包箱を利用して薄型テレビを梱包する梱包方法に関するものである。
【背景技術】
【０００２】
従来より、液晶テレビやプラズマテレビなどの薄型テレビを梱包するには、梱包箱を周壁の一面を開口した状態に組み立てた後、製造されたテレビを開口された周壁の一面を通して梱包箱に収納し、開口された一面を閉鎖するようにしている。
【０００３】
例えば、特許文献１には、左右の側面板および後面板によって角筒状の箱本体を組み立てた後、開口した前面を通して薄型テレビを箱本体内に収納し、開口された前面を閉鎖するように前面板を差し込んで重合部をジョイント部材によって連結することにより、密閉した梱包箱を形成する発明が記載されている。そして、梱包箱がユーザーに輸送されると、ジョイント部材を取り外し、箱本体に対する前面板の連結を解除して前面板を取り外し、開口された前面から収納された薄型テレビを取り出すものである。
【０００４】
また、特許文献２には、梱包箱を二つの半箱部材から形成し、一方の半箱部材にその開口部を通して薄型テレビを収納した後、他方の半箱部材を一方の半箱部材に組み合わせ、重合部を前述した公知のジョイント部材によって連結することにより、梱包箱を形成する発明が記載されている。そして、梱包箱がユーザーに輸送されると、ジョイント部材を取り外し、一方の半箱部材に対する他方の半箱部材の連結を解除して他方の半箱部材を抜き出し、一方の半箱部材の開口部を通して薄型テレビを取り出すものである。
【０００５】
なお、以下の説明において、縦置き状態とは、テレビを視聴する状態、すなわち、画面が垂直な状態を指し、また、横置き状態とは、寝かせた状態、すなわち、画面が水平な状態を指すものとする。
【先行技術文献】
【特許文献】
【０００６】
【特許文献１】特開２００７−２２６０５号公報
【特許文献２】特開２００７−３２６６２０号公報
【発明の概要】
【発明が解決しようとする課題】
【０００７】
しかしながら、前述した梱包箱は、テレビスタンドを取り付けた縦置き状態で薄型テレビを組み立てる製造ラインに対応して設計されており、テレビスタンドがユーザー取り付けになったことに対応して薄型テレビを寝かせた横置き状態で組み立てる製造ラインに対応することはできないものである。例えば、横置き状態で製造された薄型テレビを梱包箱に梱包するに際して、前者の梱包箱を構成する角筒状の箱本体を横に寝かせて梱包することを想定すると、横置き状態の薄型テレビを把持して上方から落とし込むとともに、水平方向に移動させるという複雑な作業が必要となり、梱包に要する作業時間が増加する。また、輸送に際しては、薄型テレビ保護の点から梱包時の横置き状態から縦置き状態に起こして輸送することが望まれる。このような縦置き状態の輸送、さらには縦置き状態で段積みして輸送することを考慮すると、周壁は１枚のダンボールによって形成されているため、強度が低い。特に、大画面の薄型テレビにあっては、重量も大きいため、段積み時に周壁が座屈するおそれがある。
【０００８】
また、後者の梱包箱を構成する半箱部材を横に寝かせて梱包することを想定すると、横置き状態の薄型テレビを把持して上方から落とし込む際、半箱部材の一側面が開口されているため、四隅を特定できない。したがって、横置き状態の薄型テレビを半箱部材に収納する際の位置決めが安定せず、場合によっては、収納した薄型テレビの位置を修正する作業も必要となり、梱包に要する作業時間を増大させるおそれが高い。また、梱包時の横置き状態から縦置き状態に起こして輸送する場合、梱包箱を段積みすることを考慮すると、周壁は１枚のダンボールによって形成されているため、強度が高くない。特に、大画面の薄型テレビにあっては、重量も大きいため、段積み時に周壁が座屈するおそれがある。さらに、二つの半箱部材を連結して梱包箱を形成するに際して、多数のジョイント部材が必要となり、コストの上昇を避けることができない。
【０００９】
なお、横置き状態の薄型テレビを一旦縦置きに起こして梱包箱に収納することも考えられるが、薄型テレビを横置き状態から縦置き状態に姿勢を変える一工程が必要となるため、１個当たりの製造時間が増大し、コストが上昇するものとなる
本発明は、このような問題点に鑑みてなされたもので、横置き状態の薄型テレビなどの板状体を簡単に梱包することができるとともに、輸送に際して縦置き状態に起こした場合においても大きな強度と安定性を確保することのできる梱包箱を提供するとともに、この梱包箱を用いて、寝かせた横置き状態で製造される薄型テレビの製造ラインに対応して薄型テレビを横置き状態のままコストを上昇させることなく簡単に梱包することのできる薄型テレビの梱包方法を提供するものである。
【課題を解決するための手段】
【００１０】
本発明の梱包箱は、方形状の底壁の各端縁に前壁、後壁および左右の側壁がそれぞれ折り目を介して連設された第１部材と、方形状の頂壁の各端縁に前壁、後壁および左右の側壁がそれぞれ折り目を介して連設された第２部材とから構成され、第１部材の底壁に対して前壁、後壁および左右の側壁がそれぞれ折り目に沿って折り曲げられて上方を開口した箱状体に組み立てられる一方、第２部材の頂壁に対して前壁、後壁および左右の側壁がそれぞれ折り目に沿って折り曲げられて第１部材によって組み立てられた箱状体に被せられ、第１部材の左右の側壁の各外面に第２部材の左右の側壁がそれぞれ重ねられる一方、第１部材の前壁および後壁の各上端縁に第２部材の前壁および後壁の各下端縁がそれぞれ突き合わされることを特徴とするものである。
【００１１】
本発明によれば、第１部材の底壁に対して前壁、後壁および左右の側壁をそれぞれ折り目に沿って順に折り曲げて上方を開口した箱状体に組み立てるとともに、第２部材の頂壁に対して前壁、後壁および左右の側壁をそれぞれ折り目に沿って順に折り曲げ、第１部材によって組み立てられた箱状体に被せる。そして、第１部材の左右の側壁の各外面に第２部材の左右の側壁をそれぞれ重ねるとともに、第１部材による箱状体の前壁および後壁の各上端縁に第２部材の前壁および後壁の各下端縁をそれぞれ突き合わせる。
【００１２】
この結果、第１部材の前壁および後壁の各上端縁に第２部材の前壁および後壁の各下端縁がそれぞれ突き合わされることにより、梱包終了後の横置き状態において、梱包箱の強度を確保することができる。また、輸送に際して、梱包箱の前壁および後壁の一方が底壁に位置するように梱包箱を縦置き状態に起こした場合、底壁に位置する前壁および後壁の一方は、第１部材の前壁および後壁の各上端縁と第２部材の前壁および後壁の各下端縁とが突き合わされて形成されることから、厚みによる段差が発生せず、ぐらつくことなく良好な安定性を確保することができるとともに、型取りを最小限に抑えることができる。しかも、梱包箱の左右の側壁がそれぞれ二重壁に形成されてそれらの各下端縁が接地することから、梱包箱の強度が大幅に向上し、梱包箱の座屈を確実に防止することができる。
【００１３】
なお、第１部材の左右各側壁に第２部材の左右各側壁をそれぞれ重ねて二重壁を形成する際、公知のジョイント部材を利用して両者を一体に連結することができる。
【００１４】
また、第１部材による箱状体の前壁および後壁の各上端縁と第２部材の前壁および後壁の各下端縁との突き合わせ部は、粘着テープを用いて封緘することができる。
【００１５】
本発明において、前記第１部材における左側壁の上下各端縁および右側壁の上下各端縁にそれぞれフラップが折り目を介して連設される一方、第１部材における前壁の左右各端縁および後壁の左右各端縁にそれぞれ係止片が折り目を介して連設され、また、前記各フラップに左側壁との折り目および右側壁との折り目に沿って係止片に対応して差込孔が形成されることが好ましい。これにより、横置き状態の薄型テレビを収納する上方を開口した箱状体を別途他の固定具などを必要とせずに第１部材のみで形成できる。
【００１６】
なお、係止片はフラップの一部を利用して区画される。
【００１７】
本発明において、前記各差込孔の左右一方端縁部または左右各端縁部に連続して左右方向に延びる設定長さの切れ目が形成される一方、前記各係止片の上下一端部または上下各端部に前壁との折り目および後壁との折り目に沿って係止溝が形成されることが好ましい。これにより、フラップを立ち上げ、係止片によって切れ目を強制的に押し開きながら係止片を差込孔に差し込むことにより、フラップにおける差込孔の少なくとも内面側上下一方の端縁部に係止片の係止溝が係止し、係止片の抜け出しを阻止することができる。したがって、底壁に対して前壁、後壁および左右の側壁が係止片およびフラップを介して互いに立設した状態、すなわち、第１部材を上方を開口した箱状体に確実に維持することができる。
【００１８】
本発明において、前記第１部材の底壁と第２部材の頂壁が同一幅に形成され、第１部材における底壁と前壁との折り目および底壁と後壁との折り目が設定間隔をおいて間欠的に形成されるとともに、前壁および後壁に間欠的な折り目における対向する端縁を結んで亀甲括弧状の切れ目がそれぞれ形成され、また、前記第２部材における頂壁と前壁との折り目および頂壁と後壁との折り目が設定間隔をおいて間欠的に形成されるとともに、前壁および後壁に間欠的な折り目における対向する端縁を結んで亀甲括弧状の切れ目がそれぞれ形成されることが好ましい。これにより、第１部材の前壁および後壁、第２部材の前壁および後壁を亀甲括弧状の切れ目に沿って容易に折り曲げることができる。これは梱包箱の奥行きが小さい場合、それぞれ前壁および後壁の幅が小さくなるので特に有効である。また、第１部材の底壁に対して前壁および後壁をそれぞれ折り込むことにより、底壁の前後各端縁に亀甲括弧状の切れ目による複数個の脚部が突出形成される。同様に、第２部材の頂壁に対して前壁および後壁をそれぞれ折り込むことにより、頂壁の前後各端縁に亀甲括弧状の切れ目による複数個の脚部が突出形成される。この場合、底壁の前後各端縁に突出形成される各脚部と、頂壁の前後各端縁に突出形成される各脚部とは同一の大きさである。したがって、梱包箱の前壁および後壁の一方が底壁に位置するように梱包箱を縦置き状態に起こした場合、前壁および後壁にそれぞれ位置する底壁および頂壁の各下端縁から突出する亀甲括弧状の切れ目による複数個の脚部が同一平面上に接地することから、さらに優れた安定性を確保することができる。
【００１９】
本発明において、前記第１部材によって組み立てられた箱状体の前壁および後壁の各上端縁が上方に凸状または下方に凹状の段差を有するとともに、第２部材の前壁および後壁の各下端縁が前記第１部材の前壁および後壁の各上端縁にそれぞれ互いに係合可能な上方に凹状または下方に凸状の段差を有することが好ましい。これにより、第１部材によって組み立てられた箱状体の前壁および後壁の各上端縁に第２部材の前壁および後壁の各下端縁をそれぞれ突き合わせた際、凹状の段差と凸状の段差とが互いに係合して第１部材の前壁および後壁と第２部材の前壁および後壁との左右方向の相対的な移動が阻止される。このため、第１部材によって組み立てられた箱状体の前壁および後壁の各上端縁と第２部材の前壁および後壁の各下端縁との突き合わせ部を粘着テープによって封緘する際、容易に作業することができ、封緘作業の自動化を図ることが可能となる。
【００２０】
本発明において、前記第１部材によって組み立てられた箱状体の前壁および後壁の各上端縁が下方に凹状の段差を有するとともに、第２部材の前壁および後壁の各下端縁が前記第１部材の前壁および後壁の各上端縁にそれぞれ互いに係合可能な下方に凸状の段差を有し、前記係止片は第１部材における前壁の左右各端縁および後壁の左右各端縁にそれぞれ連設されることが好ましい。これにより、第１部材の前壁および後壁と第２部材の前壁および後壁との左右方向の相対的な移動が阻止できるとともに、第１部材における前壁および後壁の幅の大きい左右各端部部分に係止片を形成できる。すなわち、梱包箱の奥行きが小さい場合はそれぞれ前壁および後壁の幅が小さくなり、係止片の形状も小さくなるが、上記のような段差を形成することにより係止片を大きく形成できる。
【００２１】
本発明の薄型テレビの梱包方法は、請求項１乃至７のいずれか一つに記載の第１部材の底壁に対して前壁、後壁および左右の側壁を順に折り目に沿って折り曲げて立ち上げ、上方を開口した箱状体に組み立てた後、複数個の緩衝材が嵌め込まれた横置き状態の薄型テレビを吊り上げて第１部材によって組み立てられた箱状体に上方開口部を通して収納し、次いで、第２部材の左側壁および右側壁を順に折り目に沿って折り込んで第１部材による箱状体に被せ、その左側壁および右側壁を第１部材における箱状体の左側壁および右側壁の各外面にそれぞれ重ねて一体に連結する一方、前壁および後壁の各下端縁を第１部材による箱状体の前壁および後壁の各上端縁にそれぞれ突き合わせた後、それらの突き合わせ部を粘着テープによって封緘することを特徴とするものである。
【００２２】
本発明によれば、第１部材の底壁に対して前壁、後壁および左右の側壁を順に折り目に沿って折り曲げて立ち上げ、上方を開口した箱状体に組み立てる。次いで、四隅や周縁部に緩衝材が嵌め込まれた横置き状態の薄型テレビを吊り上げ、第１部材によって組み立てられた箱状体に上方開口部を通して収納する。そして、第２部材の左側壁および右側壁を順に折り目に沿って折り込んで第１部材による箱状体に被せ、その左側壁および右側壁を第１部材における箱状体の左側壁および右側壁の各外面にそれぞれ重ねて一体に連結する。さらに、第２部材の前壁および後壁の各下端縁を第１部材による箱状体の前壁および後壁の各上端縁に突き合わせた後、それらの突き合わせ部を粘着テープによって封緘する。
【００２３】
この結果、横置き状態に寝かせて製造される薄型テレビをそのままの姿勢で第１部材によって組み立てられた箱状体に位置決めして簡単に収納することができる。また、重ねられた二重の左側壁および右側壁を一体に連結するとともに、上下の前壁および後壁の突き合わせ部を粘着テープによって封緘することで梱包箱を形成することから、作業時間を増加させることなく簡単に梱包することができ、コストを削減することができる。また、輸送に際して縦置き状態に起こした場合においても大きな強度と安定性を確保することができる。
【００２４】
なお、第１部材の左側壁および右側壁に第２部材の左側壁および右側壁をそれぞれ重ねて一体に連結するには、公知のジョイント部材を利用すればよい。
【００２５】
この場合、ジョイント部材による連結作業は、粘着テープによる突き合わせ部の封緘作業に先立って行われることが好ましい。これにより、上下の前壁および後壁の突き合わせ部を粘着テープによって封緘する際、位置ズレを発生させることなく容易に貼着することが可能となり、封緘作業の自動化を図ることできる。
【００２６】
また、このジョイント部材の係止孔を、第１部材の左側壁および右側壁と第２部材の左側壁および右側壁のそれぞれ幅方向の二等分線と高さ方向の二等分線との交点に形成するようにすると、左右各１個の最少のジョイント部材によりバランスを保って連結することができる。
【００２７】
また、本発明の薄型テレビの梱包方法は、テレビスタンドが取り外された薄型テレビの梱包に特に有効である。
【発明の効果】
【００２８】
本発明の梱包箱によれば、薄型テレビなどの板状体を横置き状態で簡単に梱包することができるとともに、輸送に際して縦置き状態に起こした場合においても大きな強度と安定性を確保することができる。
【００２９】
また、本発明の薄型テレビの梱包方法によれば、寝かせた横置き姿勢で製造される薄型テレビの製造ラインに対応して、薄型テレビを横置き状態のままコストを上昇させることなく簡単に梱包することができる。
【図面の簡単な説明】
【００３０】
【図１】本発明の梱包箱の一実施形態を示す斜視図である。
【図２】図１の梱包箱を構成する第１部材の展開図である。
【図３】図２のＡ部拡大図である。
【図４】図１の梱包箱を構成する第２部材の展開図である。
【図５】図１の梱包箱による薄型テレビの梱包要領を説明する工程図である。
【図６】図１の梱包箱による薄型テレビの梱包要領を説明する工程図である。
【図７】図１の梱包箱による薄型テレビの梱包要領を説明する工程図である。
【図８】図１の梱包箱による薄型テレビの梱包要領を説明する工程図である。
【図９】図１の梱包箱による薄型テレビの梱包要領を説明する工程図である。
【図１０】図１の梱包箱による薄型テレビの梱包要領を説明する工程図である。
【図１１】図１の梱包箱を輸送するに際して縦置きした状態を示す斜視図である。
【図１２】図１１のＸ面の断面図である。
【発明を実施するための形態】
【００３１】
以下、本発明の実施の形態を図面に基づいて説明する。
【００３２】
図１には、本発明の梱包箱１の一実施形態が示されている。
【００３３】
この実施形態の梱包箱１は、厚みが小さな、すなわち、縦置きした際に奥行きが小さな板状体、例えば、薄型テレビＴ（図８参照）を梱包するものであって、薄型テレビＴを収納する箱状体を形成する第１部材１０と、薄型テレビＴを収納した第１部材１０による箱状体を上方から覆う第２部材２０とから構成される。
【００３４】
第１部材１０は、ダンボールを図２の展開図にしたがって打ち抜いた後、折り目に沿って折り込むとともに、所定部分を係止して組み立てられる。
【００３５】
この第１部材１０は、方形状の底壁１１の対向する上下各端縁に前壁１２および後壁１３がそれぞれ折り目ａ１，ｂ１を介して連設されるとともに、底壁１１の対向する左右各端縁に左側壁１４および右側壁１５がそれぞれ折り目ｃ１，ｄ１を介して連設され、また、左側壁１４の上下各端縁および右側壁１５の上下各端縁にそれぞれフラップ１６，１６が折り目ｅ１，ｅ１を介して連設されるとともに、前壁１２の左右各端縁および後壁１３の左右各端縁にそれぞれ係止片１７，１７が折り目ｆ１，ｆ１を介して連設されて構成されている。
【００３６】
そして、各フラップ１６には、左側壁１４との折り目ｅ１および右側壁１５との折り目ｅ１に沿ってそれぞれダンボールの厚みに相当する高さと係止片１７の高さよりも若干短小な幅からなる左右方向に細長い差込孔１６ａが係止片１７に対応して形成されるとともに、各差込孔１６ａの左右各端縁の高さ方向中心に連続して左右方向に延びるダンボールの厚みに略相当する長さの切れ目ｇ１，ｇ１（図３参照）がそれぞれ形成されている。
【００３７】
また、各係止片１７は、フラップ１６の一部を利用して区画され、その上下各端部には、前壁１２および後壁１３との折り目ｆ１に沿ってダンボールの厚みに略相当する幅と高さからなる係止溝１７ａ，１７ａ（図３参照）がそれぞれ形成されている。
【００３８】
ここで、差込孔１６ａの幅が、係止片１７の高さから上下各端部の係止溝１７ａの高さの和を差し引いた長さに略一致するとともに、各係止溝１７ａの高さと、差込孔１６ａの左右各端縁に連続する各切れ目ｇ１の長さとが略一致している。つまり、係止片１７の高さは、差込孔１６ａの長さに左右の切れ目ｇ１，ｇ１の長さを加えた長さにほぼ一致している。したがって、フラップ１６を立ち上げ、係止片１７を差込孔１６ａに差し込む際、左右の切れ目ｇ１，ｇ１を強制的に押し開きながら差し込むことにより、係止片１７の係止溝１７ａの端縁部分がフラップ１６における差込孔１６ａの内面側各端縁部にそれぞれ係止し、係止片１７の抜け出しを阻止する。すなわち、係止片１７がフラップ１６の差込孔１６ａに差し込まれることにより、底壁１１に対して前壁１２および左右の側壁１４，１５が互いに立設した状態に保持されるとともに、底壁１１に対して後壁１３および左右の側壁１４，１５が互いに立設した状態に保持されることにより、第１部材１０によって組み立てられた上方を開口した箱状体を確実に維持することができる。
【００３９】
なお、底壁１１と前壁１２との折り目ａ１および底壁１１と後壁１３との折り目ｂ１は、それぞれ設定間隔をおいて間欠的に形成されるとともに、前壁１２および後壁１３には、間欠的な折り目ａ１，ｂ１における対向する端縁を結んでそれぞれ亀甲括弧状の切れ目ｈ１，ｈ１が形成されている。このため、底壁１１に対して前壁１２および後壁１３を容易に折り曲げることができる。また、底壁１１に対して前壁１２および後壁１３をそれぞれ折り目ａ１，ｂ１に沿って谷折りして立ち上げた場合、底壁１１の上下各端縁に亀甲括弧状の切れ目ｈ１による複数個の脚部１１１が前壁１２の外面および後壁１３の外面からそれぞれわずかに突出するように設定されている。これにより、後述するように、前壁１２および後壁１３の一方（薄型テレビＴを収納する際の薄型テレビＴの下方に対応する側）が底壁に位置するように縦置き状態に起こした場合、前壁または後壁に位置する底壁１１の下端縁から突出する複数個の脚部１１１が同一平面上に接地する。
【００４０】
また、前壁１２および後壁１３は、上下各端縁が内方に向かって凹状の段差を有している他、その高さ（底壁１１との折り目ａ１，ｂ１から上下各端縁までの長さ）は、左右の側壁１４，１５の幅（底壁１１との折り目ｃ１，ｄ１から左右各端縁までの長さ）の略半分に設定されている。
【００４１】
ここで、係止片１７は、内方に向かって凹状の段差を設けた第１部材１０における、高さが大きくなった前壁１２の左右各端縁、後壁１３の左右各端縁にそれぞれ連設されている。すなわち、この実施形態では、前壁１２および後壁１３のそれぞれ端部の幅広部分で係止片１７を形成している。したがって、梱包箱１を縦置きした場合の奥行きが小さい場合はそれぞれ前壁１２および後壁１３の高さも小さくなり、係止片１７の形状も小さくならざるを得ないが、上記のような前壁１２および後壁１３のそれぞれ端部が幅広となる段差を形成することにより、係止片１７を大きく形成できる。
【００４２】
さらに、左側壁１４および右側壁１５には、公知のジョイント部材Ｊ（図１０参照）を差し込むことができるように、１個の係止孔１４ａ，１５ａがそれぞれ幅方向の二等分線と高さ方向の二等分線との交点に形成されるとともに、持ち運びする際の指を挿入するための指掛孔１４ｂ，１５ｂが係止孔１４ａ，１５ａの近傍に形成されている。この場合、ジョイント部材Ｊの係止孔１４ａ，１５ａは必要に応じて複数個設けることもできる。
【００４３】
第２部材２０は、ダンボールを図４の展開図にしたがって打ち抜いた後、折り目に沿って折り込んで組み立てられる。
【００４４】
この第２部材２０は、方形状の頂壁２１の対向する上下各端縁に前壁２２および後壁２３がそれぞれ折り目ａ２，ｂ２を介して連設されるとともに、底壁２１の対向する左右各端縁に左側壁２４および右側壁２５がそれぞれ折り目ｃ２，ｄ２を介して連設されて構成されている。
【００４５】
この場合、第２部材２０の頂壁２１の高さが第１部材１０の底壁１１の高さと一致する一方、第２部材２０の頂壁２１の幅は、第１部材１０の底壁１１の幅にダンボールの厚みの２倍に相当する長さを加えた長さに設定されており、第１部材１０による箱状体に第２部材２０を被せた際、第１部材１０における左側壁１４の外面および右側壁１５の外面に第２部材２０における左側壁２４および右側壁２５がそれぞれ重なるように設定されている。
【００４６】
また、第２部材２０の左側壁２４の高さ（右側壁２５の高さ）は、第１部材１０の左側壁１４の高さ（右側壁１５の高さ）よりも、ダンボールの厚みを考慮してわずかに大きく設定されている。
【００４７】
なお、頂壁２１と前壁２２との折り目ａ２および頂壁２１と後壁２３との折り目ｂ２は、それぞれ設定間隔をおいて間欠的に形成されるとともに、前壁２２および後壁２３には、間欠的な折り目ａ２，ｂ２における対向する端縁を結んでそれぞれ亀甲括弧状の切れ目ｈ２，ｈ２が形成されている。このため、頂壁２１に対して前壁２２および後壁２３を容易に折り曲げることができる。また、頂壁２１に対して前壁２２および後壁２３をそれぞれ折り目ａ２，ｂ２に沿って山折りして垂れ下げた場合、頂壁２１の上下各端縁に亀甲括弧状の切れ目ｈ２による複数個の脚部２１１が前壁２２の外面および後壁２３の外面からそれぞれわずかに突出するように設定されている。これにより、後述するように、前壁２２および後壁２３の一方（薄型テレビＴを収納する際の薄型テレビＴの下方に対応する側）が底壁に位置するように縦置き状態に起こした場合、前壁または後壁に位置する頂壁２１の下端縁から突出する複数個の脚部２１１が同一平面上に接地する。
【００４８】
この場合、第１部材１０における底壁１１の上下各側端縁から突出する亀甲括弧状の切れ目ｈ１による複数個の脚部１１１と、第２部材２０における頂壁２１の上下各側端縁から突出する亀甲括弧状の切れ目ｈ２による複数個の脚部２１１とは、同一平面上に位置するように設定されている。すなわち、第１部材１０における前壁１２および後壁１３にそれぞれ形成される亀甲括弧状の切れ目ｈ１と、第２部材２０における前壁２２および後壁２３にそれぞれ形成される亀甲括弧状の切れ目ｈ２とは、同一の大きさに設定されている。
【００４９】
また、前壁２２および後壁２３は、上下各端縁が外方に向かって凸状の段差を有しており、この前壁２２および後壁２３の上下各端縁と、前述した第１部材１０の前壁１２および後壁１３の内方に向かって凹状の段差を有する上下各端縁とは、互いに突き合わされて係合するように設定されている。また、前壁２２および後壁２３の高さ（頂壁２１との折り目ａ２，ｂ２から上下各端縁までの長さ）は、左側壁２４および右側壁２５の幅（頂壁２１との折り目ｃ２，ｄ２から左右各端縁までの長さ）の略半分に設定されている。
【００５０】
ただし、後述するように、第１部材１０の前壁１２の上端縁および後壁１３の上端縁にそれぞれ第２部材２０の前壁２２の下端縁および後壁２３の下端縁をそれぞれ突き合わせた場合、それらを突き合わせて形成される前壁および後壁の高さは、ダンボールの厚みを考慮して第１部材１０の左側壁１４および右側壁１５の幅よりもわずかに大きく設定されている。
【００５１】
また、後述するように、第１部材１０および第２部材２０によって梱包箱１を形成し、第１部材１０の前壁１２の上端縁および後壁１３の上端縁に第２部材２０の前壁２２の下端縁および後壁２３の下端縁をそれぞれ突き合わせた場合において、突き合わされた前壁１２，２２、後壁１３，２３のうちの一方（薄型テレビＴを収納する際の薄型テレビＴの下方に対応する側）が底壁に位置するように縦置き状態に起こした場合、前壁および後壁に位置する第１部材１０の底壁１１の下端縁から突出する複数個の脚部１１１と、第２部材２０の頂壁２１の下端縁から突出する複数個の脚部２１１とが同一平面上に接地するように設定されている。また、脚部１１１と脚部２１１が薄型テレビの重みなどによりつぶれた場合は、第１部材１０の左側壁１４および右側壁１５の各下端縁（展開図における左側壁１４、右側壁１５の上下一方の端縁）、第２部部材２０の左側壁２４および右側壁２５の各下端縁（展開図における左側壁２４、右側壁２５の上下一方の端縁）および突き合わされた前壁１２，２２、後壁１３，２３のうちの縦置きにした状態で底壁に位置する側の壁面が同一平面上に接地するように設定されている。
【００５２】
さらに、左側壁２４および右側壁２５には、第１部材１０の左側壁１４および右側壁１５にそれぞれ形成した係止孔１４ａ，１５ａに対応して、ジョイント部材Ｊを差し込むことのできる１個の係止孔２４ａ，２５ａがそれぞれ形成されているとともに、第１部材１０の左側壁１４および右側壁１５にそれぞれ形成した指掛孔１４ｂ，１５ｂに対応して、Ｃ字状の切れ目ｉ２および該Ｃ字状の切れ目ｉ２の端縁を結ぶ折り目ｋ２がそれぞれ形成されている。
【００５３】
次に、このように構成された梱包箱１を構成する第１部材１０および第２部材２０を用いて薄型テレビＴを梱包する場合について図５乃至図１０に基づいて説明する。
【００５４】
まず、薄型テレビＴの製造組立ラインの最終工程において、それぞれ展開図にしたがって第１部材１０および第２部材２０を打ち抜いて保管しておく。
【００５５】
一方、作業テーブル上に第１部材１０を配置し、第１部材１０における左側壁１４および右側壁１５に対して各フラップ１６をそれぞれ折り目ｅ１に沿って谷折りして立ち上げるとともに、底壁１１に対して左側壁１４および右側壁１５をそれぞれ折り目ｃ１，ｄ１に沿って谷折りして立ち上げる（図５参照）。次いで、前壁１２および後壁１３に対して各係止片１７をそれぞれ折り目ｆ１に沿って谷折りして立ち上げるとともに（図６参照）、底壁１１に対して前壁１２および後壁１３をそれぞれ折り目ａ１，ｂ１に沿って谷折りして立ち上げ、各係止片１７を対応するフラップ１６に形成された差込孔１６ａに差し込む。
【００５６】
この場合、係止片１７を差込孔１６ａに強制的に押し込み、差込孔１６ａの上下端縁に連続する切れ目ｇ１，ｇ１を押し開きながら挿入する。これにより、係止片１７の係止溝１７ａの端縁部がフラップ１６における差込孔１６ａの内面側上下各端縁部にそれぞれ係止し、係止片１７の抜け出しを阻止する。つまり、フラップ１６を連設する左側壁１４および右側壁１５と、係止片１７を連設する前壁１２および後壁１３との係止状態が保持されることにより、前壁１２、後壁１３、左右の側壁１４，１５は、互いに立設状態に保持され、組み立てられた箱状体を確実に維持することができる（図７参照）。
【００５７】
第１部材１０を箱状体に組み立てたならば、製造された薄型テレビＴの四隅に、必要ならば長辺側端縁にも発泡スチロールなどの緩衝材Ｃを嵌め込み、マニピュレータなどを利用して薄型テレビＴを吊り上げ、第１部材１０による箱状体に上方開口部を通して落とし込み、収納する。この際、第１部材１０が周壁を有する上方を開口した箱状体に形成されていることにより、緩衝材Ｃが嵌め込まれた薄型テレビＴの大きさに対応させることができ、きっちりと四隅を位置決めして下降操作のみによって簡単に収納することができる（図８参照）。次いで、詳細には図示しないが、薄型テレビＴのテレビスタンドを緩衝材を利用して第１部材１０による箱状体の収納部位に収納する。
【００５８】
その後、第２部材２０を作業テーブル上に配置し、第２部材２０における頂壁２１に対して左側壁２４および右側壁２５をそれぞれ折り目ｃ２，ｄ２に沿って山折りして垂れ下げ（図９参照）、薄型テレビＴが収納された第１部材１０による箱状体の上方開口部を覆うように、かつ、垂れ下げた左側壁２４および右側壁２５がそれぞれ第１部材１０の左側壁１４および右側壁１５の各外面に重なるように上方から被せる。そして、第２部材２０における左側壁２４および右側壁２５の係止孔２４ａ，２５ａを通してジョイント部材Ｊを、対応する第１部材１０における左側壁１４および右側壁１５の係止孔１４ａ，１５ａにそれぞれ挿入し、それらの重ねられた２枚の左側壁１４，２４および右側壁１５，２５をそれぞれ一体に連結する（図１０参照）。
【００５９】
ここで、ジョイント部材Ｊは、左側壁１４，２４および右側壁１５，２５のそれぞれ幅方向の二等分線と高さ方向の二等分線との交点に位置し、左側壁および右側壁に各１個のジョイント部材Ｊにより左側壁および右側壁それぞれでバランスをとりながら所要の強さで重なった２枚の左側壁１４，２４および右側壁１５，２５を連結することができる。
【００６０】
次いで、第２部材２０における頂壁２１に対して前壁２２および後壁２３をそれぞれ折り目ａ２，ｂ２に沿って山折りし、第１部材１０におけるフラップ１６の上半部に接触するように垂れ下げる。この際、第１部材１０における立ち上げた前壁１２および後壁１３の下方に凹状の段差を有する各上端縁に、第２部材２０における垂れ下げた前壁２２および後壁２３の下方に凸状の段差を有する各下端縁がそれぞれ突き合わされることにより、第１部材１０の前壁１２および後壁１３と第２部材２０の前壁２２および後壁２３とが係合して左右方向に位置決めされ、横ズレが防止される（図１０参照）。
【００６１】
この後、第１部材１０における前壁１２および後壁１３の各上端縁と第２部材２０における前壁２２および後壁２３の各下端縁との突き合わせ部に沿ってそれぞれ粘着テープＮを貼着して封緘することにより、薄型テレビＴが収納された上下の第１部材１０および第２部材２０からなる密閉された梱包箱１を形成することができる（図１参照）。
【００６２】
この場合、前述したように、第１部材１０および第２部材２０における重なった２枚の左側壁１４，２４および右側壁１５，２５がそれぞれジョイント部材Ｊによって連結されることにより、箱状体に維持されている第１部材１０に被せられた第２部材２０も確実に位置決めされ、第１部材１０に対する第２部材２０のガタツキが防止される。したがって、第１部材１０における前壁１２および後壁１３の各上端縁と第２部材２０における前壁２２および後壁２３の各下端縁との突き合わせ部に沿ってそれぞれ粘着テープＮを貼着する際、前壁１２および後壁１３の各上端縁と、前壁２２および後壁２３の各下端縁とが凹凸段差の係合によって横ズレが防止されることと相俟って、それらの突き合わせ部に粘着テープＴを容易に貼着することができる。このため、粘着テープＴによる封緘作業を自動化することが可能となり、作業の省力化を図ることができる。
【００６３】
梱包箱１を形成したならば、倉庫などに搬送し、一時的に保管する。この際、横置き状態の梱包箱１の左側壁および右側壁は、第１部材１０の左側壁１４と第２部材２０の左側壁２４および第１部材１０の右側壁１５と第２部材２０の右側壁２５がそれぞれ重なって一体に連結された二重壁であり、また、前壁および後壁は、第１部材１０の前壁１２および後壁１３の各上端縁と第２部材２０の前壁２２および後壁２３の各下端縁とが突き合わされて負荷が分散される。したがって、従来のそれぞれ一枚のダンボールによる二つの半箱部材などからなる梱包箱に比べて座屈強度を向上させることができ、さらに上下に複数個積み重ねて保管することもできる。
【００６４】
一方、輸送に際しては、第１部材１０の前壁１２の上端縁と第２部材２０の前壁２２の下端縁とを突き合わせて形成された前壁、あるいは、第１部材１０の後壁１３の上端縁と第２部材２０の後壁２３の下端縁とを突き合わせて形成された後壁の一方が薄型テレビＴを視聴する縦置き状態の下方となる底壁に位置するように梱包箱１を縦置き状態に起こす。この実施形態においては、第１部材１０の前壁１２の上端縁と第２部材２０の前壁２２の下端縁とを突き合わせて形成された前壁が底壁に位置するように梱包箱１を起こすものとする（図１１および図１２参照）。
【００６５】
この場合、梱包箱１を縦置き状態に起こすことにより、後壁に位置する第１部材１０の底壁１１の下端縁から突出する亀甲括弧状の切れ目ｈ１による複数個の脚部１１１と、前壁に位置する第２部材２０の頂壁２１の下端縁から突出する亀甲括弧状の切れ目ｈ２による複数個の脚部２１１とが同一平面上に接地する。
【００６６】
また、脚部１１１と脚部２１１が薄型テレビＴの重みなどによりつぶれた場合は、それぞれ左側壁および右側壁に位置する第１部材１０における左側壁１４および右側壁１５の各下端縁（展開図における左側壁１４および右側壁１５の各下端縁）、第２部材２０における左側壁２４および右側壁２５の各下端縁（展開図における左側壁２４および右側壁２５の各下端縁）、底壁に位置する突き合わされた前壁１２，２２とが、前述した脚部１１１，２１１とともに同一平面上に接地する。したがって、縦置きした梱包箱１の底壁の周縁を含む全面が同一平面上に接地し、縦置き状態の梱包箱１は、ぐらつくことなく安定した姿勢で支持される。
【００６７】
また、梱包箱１を縦置きした場合、その左側壁は、第１部材１０の左側壁１４と第２部材２０の左側壁２４とが重なって一体に連結された二重壁であり、右側壁も、第１部材１０の右側壁１５と第２部材２０の右側壁２５とが重なって一体に連結された二重壁である。つまり、梱包箱１は、連結された左側壁１４，２４からなる二重の左側壁および連結された右側壁１５，２５からなる二重の右側壁がそれぞれ左右に立設することから、輸送時において、また、必要に応じて縦置き状態の梱包箱１を上下に複数個重ねて輸送する場合であっても、左側壁および右側壁は座屈することなくその形状を安定して維持することができる。
【００６８】
このような縦置き状態でユーザーに梱包箱１が輸送された場合には、梱包箱１の頂壁に位置する後壁１３，２３の突き合わせ部を封緘する粘着テープＮを剥離するとともに、ジョイント部材Ｊを抜き出せば、第２部材２０を折り目ｃ２回りに回動させて側方に倒すことができる。第２部材２０を倒せば、第１部材１０の側方開口部を通して縦置き状態の薄型テレビＴをそのまま横方向に引き出すことができ、第１部材１０による箱状体に収納された薄型テレビＴを簡単に取り出すことができる。
【００６９】
また、梱包箱１の頂壁に位置する後壁１３，２３の突き合わせ部を封緘する粘着テープＮを剥離し、後壁１３，２３を開口した状態で、縦置き状態の薄型テレビＴをそのまま縦方向に引き上げることにより、薄型テレビＴを取り出すようにしてもよい。この場合、ジョイント部材Ｊを抜き出すことなく第１部材１０および第２部材２０を連結状態に維持することにより、薄型テレビＴの引上げに際して、前壁に位置する第２部材２０の頂壁２１の内面、後壁に位置する第１部材１０の底壁１１の内面が垂直なガイド面となることから、容易に引き上げて取り出すことができる。
【００７０】
さらに、縦置き姿勢で輸送された梱包箱１を一旦横置き状態に寝かせた後、薄型テレビＴを取り出すようにしてもよい。すなわち、横置き状態に寝かせた梱包箱１の前壁１２，２２の突き合わせ部および後壁１３，２３の突き合わせ部をそれぞれ封緘する粘着テープＮをそれぞれ剥離するとともに、２個のジョイント部材Ｊを抜き出せば、第１部材１０に対して第２部材２０を上方に簡単に離脱させることができる。第２部材２０を離脱させたならば、第１部材１０の上方開口部を通して横置き状態に収納された薄型テレビＴをそのまま上方に持ち上げることができ、第１部材１０による箱状体に収納された薄型テレビＴを容易に取り出すことができる。
【００７１】
以上の実施形態では、特に縦置き状態での奥行きが小さな薄型テレビＴを好適に梱包することのできる梱包箱１の一例について説明した。
【００７２】
前述した実施形態においては、係止片１７を大きく形成できる利点により、第１部材１０の前壁１２および後壁１３の各上端縁に下方に凹状の段差を形成するとともに、第２部材２０の前壁２２および後壁２３の各下端縁に下方に凸状の段差を形成する場合を例示したが、第１部材１０の前壁１２および後壁１３の各上端縁に上方に凸状の段差を、第２部材２０の前壁２２および後壁２３の各下端縁に上方に凹状の段差をそれぞれ形成してもよい。この場合も、それぞれの段差が突き合わされることにより横ズレが防止できる。
【００７３】
なお、横ズレ防止があえて不要な場合は、第１部材１０の前壁１２および後壁１３の各上端縁と、第２部材２０の前壁２２および後壁２３の各下端縁とを凹状または凸状の段差を形成することなく突き合わせるようにしてもよい。
【００７４】
また、第１部材１０の底壁１１と前壁１２、後壁１３との境目に形成した亀甲括弧状の切れ目ｈ１，ｈ１と、第２部材２０の頂壁２１と前壁２２、後壁２３との境目に形成した亀甲括弧状の切れ目ｈ２，ｈ２は、梱包箱１の奥行きが大きく、容易に折り曲げることができる場合、あるいは、折り曲げにより形成される脚部１１１，２１１の機能があえて不要の場合などは形成しなくてもよい。
【００７５】
また、実施形態では、組み立てた梱包箱１において、第１部材１０の左側壁１４と第２部材２０の左側壁２４、および第１部材１０の右側壁１５と第２部材２０の右側壁２５とがそれぞれほぼ全体に重なるように連結した。しかし、縦置き状態の梱包箱１を上下に複数個重ねて輸送するとき、左側壁および右側壁の重ねた一方が全幅を有すれば、梱包箱１の左側壁および右側壁が座屈することなくその形状を安定して維持することができるので、必ずしも両者はほぼ全部重ねる必要はない。一方は全幅とし、他方はほぼ半分以上重なる幅であればよい。
【００７６】
さらに、実施形態では、縦置き状態で梱包箱１が輸送される場合について説明したが、輸送時の薄型テレビに問題がなければ横置き状態のままで輸送しても差支えない。
【符号の説明】
【００７７】
１  梱包箱
１０  第１部材
１１  底壁
１２  前壁
１３  後壁
１４，１５  側壁
１６  フラップ
１６ａ  差込孔
１７  係止片
１７ａ  係止溝
２０  第２部材
２１  頂壁
２２  前壁
２３  後壁
２４，２５  側壁
ａ１，ｂ１，ｃ１，ｄ１，ｅ１，ｆ１，ａ２，ｂ２，ｃ２，ｄ２  折り目
ｇ１  切れ目
ｈ１，ｈ２  亀甲括弧状の切れ目
Ｔ  薄型テレビ
【図１】
2012153413.tif 000003
【図２】
2012153413.tif 000004
【図３】
2012153413.tif 000005
【図４】
2012153413.tif 000006
【図５】
2012153413.tif 000007
【図６】
2012153413.tif 000008
【図７】
2012153413.tif 000009
【図８】
2012153413.tif 000010
【図９】
2012153413.tif 000011
【図１０】
2012153413.tif 000012
【図１１】
2012153413.tif 000013
【図１２】
2012153413.tif 000014